(57)【特許請求の範囲】
【請求項１】
無線送信／受信ユニット（ＷＴＲＵ）によって実行され、マルチメディア放送／マルチキャストサービス（ＭＢＭＳ）伝送を受信するための方法であって、前記方法は、
第１のセルから、第１のＭＢＭＳ伝送を受信すること、
第２のセルから、第２のＭＢＭＳ伝送を受信することであって、前記第２のＭＢＭＳ伝送は、前記第１のＭＢＭＳ伝送と異なる時間に受信される、こと、
前記第１のＭＢＭＳ伝送および前記第２のＭＢＭＳ伝送に関連する伝送時間情報を受信すること、および
前記受信された伝送時間情報に基づいて、前記第１のＭＢＭＳ伝送と前記第２のＭＢＭＳ伝送とを組み合わせること
を含むことを特徴とする方法。
【請求項２】
前記第１のＭＢＭＳ伝送は第１のセカンダリ共通物理チャネル（Ｓ−ＣＣＰＣＨ）で受信され、前記第２のＭＢＭＳ伝送は第２のＳ−ＣＣＰＣＨで受信されることを特徴とする請求項１に記載の方法。
【請求項３】
前記第１のＭＢＭＳ伝送および前記第２のＭＢＭＳ伝送は、ＭＢＭＳサービスの１つまたは複数のセグメントを含むことを特徴とする請求項１に記載の方法。
【請求項４】
前記第１のＭＢＭＳ伝送を格納することをさらに含むことを特徴とする請求項１に記載の方法。
【請求項５】
前記第２のＭＢＭＳ伝送を格納することをさらに含むことを特徴とする請求項１に記載の方法。
【請求項６】
前記伝送時間情報は、ネットワークから受信されることを特徴とする請求項１に記載の方法。
【請求項７】
マルチメディア放送／マルチキャストサービス（ＭＢＭＳ）伝送を受信するための無線送信／受信ユニット（ＷＴＲＵ）であって、前記ＷＴＲＵは、
第１のセルから、第１のＭＢＭＳ伝送を受信する手段、
第２のセルから、第２のＭＢＭＳ伝送を受信する手段であって、前記第２のＭＢＭＳ伝送は、前記第１のＭＢＭＳ伝送と異なる時間に受信される、手段、
前記第１のＭＢＭＳ伝送および前記第２のＭＢＭＳ伝送に関連する伝送時間情報を受信する手段、および
前記受信された伝送時間情報に基づいて、前記第１のＭＢＭＳ伝送と前記第２のＭＢＭＳ伝送とを組み合わせる手段
を含むことを特徴とするＷＴＲＵ。
【請求項８】
前記第１のＭＢＭＳ伝送は第１のセカンダリ共通物理チャネル（Ｓ−ＣＣＰＣＨ）で受信され、前記第２のＭＢＭＳ伝送は第２のＳ−ＣＣＰＣＨで受信されることを特徴とする請求項７に記載のＷＴＲＵ。
【請求項９】
前記第１のＭＢＭＳ伝送および前記第２のＭＢＭＳ伝送は、ＭＢＭＳサービスの１つまたは複数のセグメントを含むことを特徴とする請求項７に記載のＷＴＲＵ。
【請求項１０】
前記第１のＭＢＭＳ伝送を格納する手段をさらに含むことを特徴とする請求項７に記載のＷＴＲＵ。
【請求項１１】
前記第２のＭＢＭＳ伝送を格納する手段をさらに含むことを特徴とする請求項７に記載のＷＴＲＵ。
【請求項１２】
前記伝送時間情報は、ネットワークから受信されることを特徴とする請求項７に記載のＷＴＲＵ。
【発明の詳細な説明】
【技術分野】
【０００１】
本発明は、一般には、無線通信に関し、より詳細には、時分割複信（ＴＤＤ）、周波数分割複信（ＦＤＤ）、符号分割多重アクセス（ＣＤＭＡ）、および／またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）などの、無線通信システムにおいて、少なくとも１つまたは複数のマルチメディア放送サービス（ＭＢＭＳ）を提供することに関する。
【背景技術】
【０００２】
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）の広帯域ＣＤＭＡ（Ｗ−ＣＤＭＡ）システムは、ＵＭＴＳのリリースＲ９９／Ｒ４およびＲ５に対する使用可能なシナリオに略述される。このシステムは、ＴＤＤおよびＦＤＤモードを利用し、通信リンクを確立するために複数の共通および専用チャネルを採用する。ダウンリンク（ＤＬ）の共通チャネルは、Ｂｒｏａｄｃａｓｔ  Ｃｈａｎｎｅｌ（ＢＣＨ）を含む少なくとも１つのＰｒｉｍａｒｙ  Ｃｏｍｍｏｎ  Ｃｏｎｔｒｏｌ  Ｐｈｙｓｉｃａｌ  Ｃｈａｎｎｅｌ（Ｐ−ＣＣＰＣＨ）、および／またはＦｏｒｗａｒｄ  Ａｃｃｅｓｓ  Ｃｈａｎｎｅｌ（ＦＡＣＨ）を含む少なくとも１つのＳｅｃｏｎｄａｒｙ  Ｃｏｍｍｏｎ  Ｃｏｎｔｒｏｌ  Ｐｈｙｓｉｃａｌ  Ｃｈａｎｎｅｌ（Ｓ−ＣＣＰＣＨ）を含む。
【０００３】
通信リンクは、通常、無線送受信ユニット（ＷＴＲＵ：Ｗｉｒｅｌｅｓｓ  Ｔｒａｎｓｍｉｔ/Ｒｅｃｅｉｖｅ  Ｕｎｉｔ）を使用して確立される。ＷＴＲＵには、限定はしないが、ユーザ設備、移動局、固定または移動体の加入者ユニット、ページャー、または無線環境で動作する性能を有する、他のいかなる種類の機器が含まれる。これら無線環境の例示的種類には、限定はしないが、無線ローカル・エリア・ネットワークおよびＰＬＭＮ（Ｐｕｂｌｉｃ  Ｌａｎｄ  Ｍｏｂｉｌｅ  Ｎｅｔｗｏｒｋ）が含まれる。本明細書において説明するＷＴＲＵは、それぞれＴＤＤおよびＦＤＤなどの、時分割(ｔｉｍｅ  ｓｌｏｔｔｅｄ)モードまたは周波数分割モードで動作する性能を有する。「基地局」には、限定はしないが、ノードＢ、サイトコントローラー、アクセスポイントまたは無線環境における他のインターフェース機器が含まれる。
【０００４】
マルチセルの無線通信システムのセルの周辺部分（ｃｅｌｌ  ｅｄｇｅ）でのリンク性能は、特に共通チャネルに関して、長い間、問題とされることがあることが知られている。リンク分析によって、セルの周辺部分での無線のＷＴＲＵはブロック誤り率（ＢＬＥＲ：ＢＬｏｃｋ  Ｅｒｒｏｒ  Ｒａｔｅ）は１０％より上、または、あるフェーディング条件の下ではさらに高くなるであろうことが示されている。加えて、容量の最適化には、Ｐ−ＣＣＰＣＨと同一のスロットにＳ−ＣＣＰＣＨを配置することが望ましい場合がある。
【０００５】
ネットワーク事業者により提供され、Ｓ−ＣＣＰＣＨにより伝達される特別なサービスクラスはＭＢＭＳであろう。無線通信システムにおいては、ＭＢＭＳは、共通のデータサービスを複数の加入者に効率的に配信するために使用される。
【０００６】
ＭＢＭＳは、会話または双方向ビデオ会議などの古典的なポイントツーポイント（ＰｔＰ：ｐｏｉｎｔ‐ｔｏ‐ｐｏｉｎｔ）のサービスと異なり、ＭＢＭＳにおけるユーザのグループは、ネットワークで発信された同一メッセージの受信者であることが意図される。したがって、ＭＢＭＳの実現には、後者のサービスがユーザに専用の物理チャネルを通じて通常送出されるというＰｔＰサービスとは異なり、前者のＭＢＭＳが共通物理チャネルで送出され、複数のＷＴＲＵで受信されるようにすることが、より適切である。データ速度に関するＭＢＭＳの要件は、およそ１００キロビット毎秒（ｋｂｐｓ）までの範囲で変化するが、ＭＢＭＳに対する最も一般的な要件は１セルあたりおよそ６４キロｂｐｓであり、およびＭＢＭＳによってセルのユーザの９０％をカバーすることを要求することを示す。
【０００７】
ＣＤＭＡシステムにおいてＭＢＭＳを提供することに関する基本的問題は、専用チャネルが使用されない場合には、ＭＢＭＳを伝達する物理チャネルを電力制御することが困難であるということである。従って、基地局の送信電力は、情報を提供されるグループにおいて、基地局から最も離れて位置するＭＢＭＳのユーザが物理チャネルを確実に受信できるように設定されねばならない。本質的には基地局は、Ｎ人のＭＢＭＳのユーザのグループのあるユーザがセルの周辺部分にあるという可能性を支援するものでなければならず、したがって送信電力はそのユーザの必要性によって設定される。しかしながら、ユーザの大部分にとっては、この電力は十分な量に対してはるかに過大である。これは同一、または隣接するセルにおける他のユーザに対して不適正な量の干渉を生じる。
【０００８】
例として、広帯域Ｗ−ＣＤＭＡのＦＤＤに対する予備検討によると、６４ｋｂｐｓのＭＢＭＳに関する代表的なＦＤＤセルにおいてＷＴＲＵの９０％より大きいカバレージを達成するためには、通常、基地局電力のおよそ３０％は、ＭＢＭＳを物理チャネルで送出することを必要とするであろうことが示される。また、セルの周辺部分でのＭＢＭＳユーザに対して持続可能なデータ速度において情報を提供することは非常に困難であることが示される。
【０００９】
したがって、そのような大きなリソースの要求を低下させることが必要である。この目的で、ＭＢＭＳチャネルのリンク性能を向上させるために、ＭＢＭＳに関して必要とされる電力比を削減するためのいくつかの仕組みが議論されている。これらには次のようなものが含まれる。すなわち、１）より長いインターリーブ、すなわち、より良い時間ダイバーシティを有するより長い送信時間間隔（ＴＴＩ：Ｔｒａｎｓｍｉｓｓｉｏｎ  Ｔｉｍｅ  Ｉｎｔｅｒｖａｌ）、２）ＭＢＭＳのチャネルに対する送信ダイバーシティ、および３）チャネルコーディングの改良、である。そのような方法を使用して、６４ｋｂｐｓのＭＢＭＳの例を支援するために必要となるＦＤＤの基地局での電力比は３０％からおよそ１０〜２０％にまで削減される可能性がある。
【００１０】
ＵＭＴＳの狭帯域のＴＤＤ（ＮＴＤＤ：Ｎａｒｒｏｗｂａｎｄ  ＴＤＤ）（オプションとして１．２８Ｍｃｐｓ）に対しては、周波数再利用の活用により、物理チャネルのタイムスロット（ＴＳ：ＴｉｍｅＳｌｏｔ）においてＭＢＭＳにより生成される高い干渉レベルが緩和される可能性がある。これは、ＮＴＤＤの搬送波あたりの帯域幅が、より小さいために、原理的に可能となる。例えば、ＦＤＤまたは広帯域のＴＤＤ（ＷＴＤＤ：Ｗｉｄｅｂａｎｄ  ＴＤＤ）の５ＭＨｚのスペクトル割り当て内で、３つの狭帯域の搬送波を維持することができる。
【００１１】
この仕組みを使用して、いくつかのセルによって、周波数ｆ１の特定のタイムスロットＴＳｎで、第２のグループが周波数ｆ２のタイムスロットＴＳｎで、および第３のグループが周波数ｆ３のタイムスロットＴＳｎで、ＭＢＭＳを送信するとする。同一の周波数で同一のＴＳにおいてＭＢＭＳを送出する２つの基地局の間の距離が長い方は、より大きな空間的分離が達成されるので、ＭＢＭＳのＴＳに起因する干渉を、他のセルに対して生じることが、より少なくなる。しかしながら、事業者は、展開領域において、これら３つの周波数を利用可能とせねばならない。送信(Ｔｘ)電力の要件を削減する方法には、例えば、より長いＴＴＩ長、ソフトハンドオーバ、およびＴｘダイバーシティの使用が含まれる。
【００１２】
ＵＴＲＡ（Ｕｎｉｖｅｒｓａｌ  Ｔｅｒｒｅｓｔｒｉａｌ  Ｒａｄｉｏ  Ａｃｃｅｓｓ）のＦＤＤに対する先行の議論の結果として、Ｓ−ＣＣＰＣＨで６４ｋｂｉｔ／秒を基準とするＭＢＭＳの維持に対して、基地局のＤＬのＴｘ電力を１５〜２０％程度にまで削減することが示される。
【００１３】
先行のシステムは、５ＭＨｚの帯域幅における３つのローチップレート（ＬＣＲ：Ｌｏｗ  Ｃｈｉｐ  Ｒａｔｅ）の搬送波を有し、このシステムにおけるＭＢＭＳを単一のタイムスロットに含まれるＳ−ＣＣＰＣＨにマッピングし、およびこのタイムスロットに対する周波数の再利用度（ｒｅｕｓｅ  ｆａｃｔｏｒ）が３であることを仮定する、展開領域においてＲ４ベースのローチップレート（ＬＣＲ）のＴＤＤシステムの実装を開示する。これらの結果により、全基地局のＴｘ電力をＳ−ＣＣＰＣＨのタイムスロットに使用すると、ＬＣＲのＴＤＤが、ブロック誤り率（ＢＬＥＲ：ＢＬｏｃｋ  Ｅｒｒｏｒ  Ｒａｔｅ）＝１０％で６４ｋｂｐｓまでを、またはＢＬＥＲ＝１％でおよそ１６〜３２ｋｂｐｓを提供することができるということを維持する可能性があることが示される。
【００１４】
さらに、時間領域の再利用度が３を用いる従来技術の通信システムでは、集合１におけるセルはＴＳｎでそれらのＭＢＭＳを送信し、集合２におけるセルはＴＳn＋１でそれらのＭＢＭＳを送信し、および集合３におけるセルはＴＳn＋２でそれらのＭＢＭＳを送信するとする。集合１におけるセルはアップリンク（ＵＬ：ＵｐＬｉｎｋ）およびダウンリンク（ＤＬ：ＤｏｗｎＬｉｎｋ）の両方の、いずれの伝送に対しても、ＴＳｎ＋１およびＴＳｎ＋２を使用せず、集合２におけるセルはいずれの伝送に対しても、ＴＳｎおよびＴＳｎ＋２を使用せず、以下同様である。この方法は、ＭＢＭＳのデータブロックの持続時間の如何にかかわらず（すなわち、そのＴＴＩに独立に）動作する。この方法によってセル毎にもたらされるＭＢＭＳの平均データ速度は１７０ｋｂｐｓ／セルであり、およびシステムのＭＢＭＳのタイムスロットのタイムスロット効率は１７０ｋｂｐｓ／３タイムスロット＝５６ｋｂｐｓ／タイムスロットである。
【００１５】
図１は、上述の従来技術の通信システムにより使用される例示的データフレームの列を示す図であり、データフレームがタイムスロット１〜１５に分割される。フレームは繰り返され、およびタイムスロット割り当ては、タイムスロットがクリアされるか、または特に再割り当てされるまで、引き続くフレームに対して同一に維持される。各タイムスロットを、予め定められたフレーム数に潜在的に割り当てる。
【００１６】
図２は、上述の従来技術の通信システムにより使用されるチャネル割り当てを示す図である。異なる集合におけるセルは異なるタイムスロットに割り当てられる。ＭＢＭＳの放送が重複するカバレージ領域を持つ可能性がある複数の情報源から送信される場合に、この配列が使用される。
【００１７】
例示するために、ＴＳ１中のＷＴＲＵのＭ１は第１の集合（集合１）のセルに対応する符号を割り当てられる。ＴＳ２中のＷＴＲＵのＭ２は第２の集合（集合２）のセルに対応する符号を割り当てられ、およびＴＳ３中のＷＴＲＵのＭ３は第３の集合（集合３）のセルに対応する符号を割り当てられる。フレームＡでこのように出現すると、１つまたは複数の割り当てりが変更されるまで、引き続くフレームに対して繰り返される。
【００１８】
さらに図２を参照して、フレームＡ  ７８において、集合１のセルは、タイムスロットの最初の集合ＴＳ１に割り当てられる。残りのタイムスロットＴＳ２〜ＴＳｎは集合１によって使用されない。集合１に対する物理チャネルの割り当ては、Ｓ−ＣＣＰＣＨ全体である。集合２のセルは、第２のタイムスロットの集合ＴＳ２に割り当てられる。残りのタイムスロットＴＳ１およびＴＳ３〜ＴＳｎは集合２によって使用されない。集合２に対する物理チャネルの割り当ては、Ｓ−ＣＣＰＣＨ全体である。集合３のセルは、第３のタイムスロットの集合ＴＳ３に割り当てられる。残りのタイムスロットＴＳ１〜ＴＳ２およびＴＳ４〜ＴＳｎは集合３によって使用されない。集合３に対する物理チャネル割り当ては、Ｓ−ＣＣＰＣＨ全体である。このパターンはフレームＢ  ８０に対して繰り返され、対応するタイムスロットＴＳ１〜ＴＳ３が異なる集合のセルに割り当てられる。
【００１９】
上述の従来技術の通信システムの欠点は、他の送信にタイムスロットＴＳ１、ＴＳ２、およびＴＳ３を使用することができないという点であることに注意されたい。従って、タイムスロットが１つの集合におけるセルに対して使用されると、別の集合におけるセルに対して、そのタイムスロットを使用することができない。時間領域の再利用パターンを共有することができるＴＤＤのセルの集合を有することが望ましいであろう。
【００２０】
無線リソースの特有な適用として、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、アクティブなＭＢＭＳのユーザの数を追跡する。各セル内で、各ＭＢＭＳに関して、アクティブなユーザの数を使用することによって、そのＭＢＭＳに適用される伝送および物理リソースの種類を、ならびに各セルにおいて、いつＭＢＭＳを開始しおよび終了すべきかを決定する。
【００２１】
サービスは、ＭＢＭＳのアクティベーション（ａｃｔｉｖａｔｉｏｎ）および加入者の移動性の結果として確立される。ＭＢＭＳのユーザを追跡するために描かれたメカニズムは、ＭＢＭＳの「結合（ｊｏｉｎｉｎｇ）」（サービスアクティベーション）、および加入者の位置を保持するためのセルの更新手順に関する無線リソース管理（ＲＲＣ：Ｒａｄｉｏ  Ｒｅｓｏｕｒｃｅ  Ｃｏｎｔｒｏｌ）のレイヤ３信号を取り入れる。これらのツールにより、どのユーザがサービスをアクティベートしたか、およびサービスをどのセルに配信する必要があるかを知ることが可能となる。
【００２２】
ＭＢＭＳの特定の１つのサービスのユーザの数が少ない場合に、閉ループ電力制御および送信ダイバーシティの適用により、専用チャネルはより効率的になる。ユーザの数が増加した場合には、専用チャネルの効率利得が各々のデータストリームの重複を補わず、したがって単一のデータストリームを複数の加入者に対して供給する共通チャネルが用いられる。この方法は、伝送／物理チャネルの切り替えとして既知であり、ＭＢＭＳの送信の間、いつでも適用できる。
【００２３】
共通チャネルが使用された場合には、配信の成功を確実にするためにＡＲＱ技術を適用することは実用的ではない。したがって、各々のＭＢＭＳの送信を繰り返すことによって、配信が成功する確率を増大させる。再送信の数は、サービスに適用された伝送および物理リソースの期待されるＢＬＥＲを考慮に入れる。
【００２４】
ＭＢＭＳは、配信の成功をより確実にするために何回か送信される。再送信の数は、期待されるチャネル品質に関連する。再送信の数は最悪の場合のシナリオを考慮に入れることによって、期待されるサービス品質（ＱｏＳ：Ｑｕａｌｉｔｙ  ｏｆ  Ｓｅｒｖｉｃｅ）を達成するであろう。最悪の場合のシナリオの一例は、加入者がセルの周辺部分に位置する場合に、結果としての高いＢＬＥＲがある。加入者は、より良い無線伝搬条件を体験し、および再送信が完了する遙か以前に配信の成功を達成する場合が多い。
【発明の概要】
【発明が解決しようとする課題】
【００２５】
要約すれば、従来技術のＭＢＭＳに関連付けられる欠陥を克服するために、いくつかの改良を行うことが望ましい。第一に、ＵＭＴＳのＷＴＤＤおよびＮＴＤＤを支援し、およびＭＢＭＳを提供するための共通チャネルの容量を増加させる新しい仕組みが必要である。第二に、ＴＤＤのセルの集合が時間領域の再利用パターンを共有するように構成されることによって、性能を高める方法を使用して、リソース効率を改善するシステムが望ましい。第三に、サービスの配信を説明する表示が存在しないため、ＭＢＭＳをアクティベートしているいずれの加入者は受信に対して課金される。したがって、ＵＴＲＡＮが信頼性のある受信を確実にするために十分な数の再送信を提供することが望ましいであろう。
【課題を解決するための手段】
【００２６】
本発明はマルチセルの無線通信システムにおいて実施され、１つまたは複数のＷＴＲＵと通信状態にある少なくとも１つのネットワークを含む。通信システムは、ネットワークからＷＴＲＵへのＭＢＭＳの配信を制御する。通信システムは、ＦＤＤまたはＴＤＤの通信システムである場合がある。
【００２７】
一実施形態では、少なくとも１つのＷＴＲＵがＭＢＭＳをアクティベートする。ＷＴＲＵは、ＷＴＲＵが動作している通信システムの第１のセルを表示して、ネットワークに対する周期的な更新を提供する。ネットワークは、ＷＴＲＵにＭＢＭＳを配信する。ＷＴＲＵが周期的な更新を提供することを停止するか、または第１のセルとは異なる通信システムのセルにおいて動作する場合に、ネットワークは、ＷＴＲＵでのＭＢＭＳを終了する。
【００２８】
別の実施形態では、ネットワークは、複数のＭＢＭＳのデータ伝送を行うことによって、ＷＴＲＵにＭＢＭＳを配信する。ＷＴＲＵは、ＭＢＭＳのデータ伝送のすべてが受信されたことをネットワークに対して表示する。そして、ネットワークは、ＭＢＭＳのデータ伝送を終了する。
【００２９】
さらに別の実施形態では、ネットワークは、ＭＢＭＳを複数の個々のデータセグメントに分割し、および各々のＭＢＭＳのデータセグメントをＷＴＲＵに送信する。ＷＴＲＵは、ＷＴＲＵによって適切に受信されたＭＢＭＳの各データセグメントをＷＴＲＵ自体のメモリに格納する。ＷＴＲＵは、ＷＴＲＵによって適切に受信されなかった少なくとも１つのＭＢＭＳのデータセグメントをネットワークに対して識別する。ネットワークは、識別されたＭＢＭＳのデータセグメントのみをＷＴＲＵに対して再送信する。
【００３０】
ＭＢＭＳのデータセグメントを送信する前に、ネットワークは、各々のＭＢＭＳのデータセグメントがいつＷＴＲＵに送信すべきか、およびＭＢＭＳがいくつのデータセグメントを含むかを、ＷＴＲＵに対して表示することができる。ＭＢＭＳの各データセグメントは、ＷＴＲＵによってＭＢＭＳのデータセグメントの配信の成功を立証するために使用される、少なくとも１つの巡回冗長検査（ＣＲＣ：Ｃｙｃｌｅ  Ｒｅｄｕｎｄａｎｃｙ  Ｃｈｅｃｋ）を含むことができる。ネットワーク事業者は、課金を容易にするために、ＷＴＲＵがＭＢＭＳのデータセグメントの全部を受信しているか否かを決定することができる。
【００３１】
さらに別の実施形態では、ネットワークは、異なる時間にＷＴＲＵへ送信するようスケジュ−リングされた複数の個々のＭＢＭＳのデータセグメントに、ＭＢＭＳを分割する。ネットワークは、スケジューリングされた異なる時間、およびＭＢＭＳがいくつのデータセグメントを含むかを、ＷＴＲＵに表示する。ネットワークは、スケジューリングされた異なる時間で、ＭＢＭＳのデータセグメントをＷＴＲＵへ送信する。ＷＴＲＵは、スケジューリングされた異なる時間でＷＴＲＵの受信機をアクティベートすることによって、ネットワークで送信されるＭＢＭＳのデータセグメントを受信する。ＷＴＲＵは、ＷＴＲＵによって適切に受信されなかった少なくとも１つのＭＢＭＳのデータセグメントをネットワークに対して識別する。ネットワークは、識別されたＭＢＭＳのデータセグメントがＷＴＲＵに送信すべき割り当てられる時間を、ＷＴＲＵに表示する。ネットワークは、識別されたＭＢＭＳのデータセグメントのみをＷＴＲＵに再送信する。ＷＴＲＵは、割り当てられた時間にＷＴＲＵの受信機をアクティベートすることによって、再送信されるＭＢＭＳのデータセグメントを受信する。
【００３２】
さらに別の実施形態では、通信システムの特定の１つのセルで動作するＷＴＲＵがＭＢＭＳをアクティベートする。ネットワークは、ＭＢＭＳをアクティベートした、特定のセルにおいて動作するＷＴＲＵの数を決定する。ネットワークは、ＷＴＲＵの決定された数に基づき、特定のセルにリソースを割り当てる。ネットワークは、割り当てられたリソースを使用してＷＴＲＵにＭＢＭＳを配信する。ＷＴＲＵの全部がＭＢＭＳを非アクティベートする場合に、ネットワークは、ＷＴＲＵでのＭＢＭＳを終了し、およびネットワークのリソースに再割り当てを行う。
【図面の簡単な説明】
【００３３】
【図１】１つのフレームが１５のタイムスロットを有する従来技術の通信システムで使用される例示的なデータフレームの列を例示する図である。
【図２】異なる集合におけるセルに対して一意的なタイムスロットが適用される従来技術の通信システムで使用されるチャネル割り当てを示す図である。
【図３】本発明の一実施形態のとおりに、ＴＤＤまたはＦＤＤのマルチセルの無線通信システムにおいて、セルに対するＭＢＭＳのサービスの割り当てることを示すフローチャートである。
【図４】本発明のとおりに、異なる集合におけるセルが他の集合のセルとタイムスロットを共有するが、異なる集合におけるセルにタイムスロットの一意的な組合せを適用するＴＤＤの通信システムにおいて、時間領域の再利用を実施する例を示す図である。
【図５】本発明のとおりに、重複する割り当てを使用するＦＤＤシステムにおいて、時間領域の再利用を実施する例を示す図である。
【図６】本発明の一実施形態のとおりに、ＭＢＭＳのサービスの非アクティベーションを実装することによって、伝送／物理チャネルの切り替えおよびサービスの終了を制御する通信システム（ＴＤＤかまたはＦＤＤかのいずれか）のブロック図である。
【図７】本発明の一実施形態のとおりに、セルの更新処理を実装することによって、ＭＢＭＳのサービスの送信を制御する通信システム（ＴＤＤかまたはＦＤＤかのいずれか）のブロック図である。
【図８】本発明の一実施形態のとおりに、配信確認を実施することによって、ＭＢＭＳの伝送を削減する通信システムのブロック図である。
【図９】本発明の一実施形態のとおりに、ＭＢＭＳのセグメント化を実施するシステムのブロック図である。
【発明を実施するための形態】
【００３４】
本発明のより詳細な理解を、例として与えおよび添付の図面に関連して理解されるべき、好ましい実施形態に関する以下の説明から得ることができる。
【００３５】
本発明は、同一の参照符号が同一の要素を表す図面を参照して説明するものである。
【００３６】
本発明は、ＴＤＤおよびＦＤＤの型の無線通信システムに関連して説明するが、ＴＤ−ＳＣＤＭＡおよびＣＤＭＡ２０００を含むあらゆる種類の無線通信システムにおいて本発明を実施することができることに注意することが重要である。
【００３７】
図３は、本発明の一実施形態のとおりに、ＴＤＤまたはＦＤＤのマルチセルの無線通信システムのネットワーク（例えば、ＵＴＲＡＮ）から、１つまたは複数のＷＴＲＵにＭＢＭＳを配信する処理３００によって実施されるステップを示すフローチャートである。ステップ３０５では、通信システムに対してどのＭＢＭＳの要件を確立するかに関しての決定が行われる。ＭＢＭＳの要件によって、データ速度、目標ＢＬＥＲ、ＴＴＩ、および／またはユーザの最小数など、チャネル割り当てのパラメータ仕様を定義することができる。
【００３８】
ステップ３１０では、ＭＢＭＳへの割り当てに利用することができることに基づいて、通信システムの各セルに対して必要なリソースユニットを決定する。ＴＤＤの通信システムに対しては、リソースユニットには、特定のキャリア周波数、スクランブル符号、オプションのチャネル符号、およびフレームの集合によって定義される物理チャネルを含むことができる。ＴＳ２５．２２１によって指定されるように、ＴＤＤにおける物理チャネルは、バーストであり、割り当てられる無線フレーム内の特定のタイムスロットで送信される。割り当ては、連続（すなわち、あらゆるフレームにおいてタイムスロットを物理チャネルに割り当てる）とすることができ、または割り当ては、不連続（すなわち、全フレームの部分集合においてのみタイムスロットを割り当てる）とすることができる。ＦＤＤの通信システムに対しては、リソースユニットには、特定のキャリア周波数、スクランブル符号、オプションのチャネル符号、および与えられた持続時間に対する開始および停止の時間によって定義される物理チャネルを含むことができる。ステップ３１５では、あるレベルのＭＢＭＳを保証するために、１つ以上のセルの複数の集合（すなわち、グループ）に、セルを構成する。ステップ３２０では、リソースユニットを、通信システムのセルの各集合に割り当てる。
【００３９】
ステップ３２５において、処理３００を実行するためにＦＤＤの通信システムが使用される場合には、ステップ３３５では、マルチフレームの割り当てを使用する。処理３００を実行するためにＴＤＤの通信システムが選択される場合には、ステップ３３０では、マルチフレームの割り当てを使用するかどうかに関しての決定が行われる。マルチフレームの割り当ての使用は、セルの間の空間的分離（すなわち、距離）に基づく場合がある。ＦＤＤの通信システム（ステップ３３５）またはＴＤＤの通信システムにおいて（ステップ３３０の「はい」の出力により示されるように）、マルチフレームの割り当てが使用される場合には、セルの各集合に対する繰り返し周期毎のＭＢＭＳの送信に使用される、セルの全部およびフレームの部分集合に対する繰り返し周期を確立する（ステップ３４０）ことによって、ＭＢＭＳのあるサービスレベルを保証することできるように、通信システムでの干渉を最小化する。ＴＤＤの通信システムにおいて、マルチフレームの割り当てを使用しないと決定された場合には、ＴＳの異なる組合せを、各フレームにおいて同一の組合せのＴＳを使用して、セルの各集合に提供する（ステップ３４５）。ステップ３３０の決定を、独立して、または前のステップ３０５、３１０、３１５、および３２０のいずれか１つと関連して実施することができることを理解するべきである。
【００４０】
ステップ３５０では、割り当てられたリソースユニットをＭＢＭＳの伝送のために通信システムの各セルに割り当てる。ステップ３５５では、ＭＢＭＳの伝送のために割り当てられたリソースユニットにアクセスする方法を表示する情報を、ＷＴＲＵが受信する。ステップ３６０では、ＷＴＲＵが１つまたは複数のセルからＭＢＭＳを受信する。ステップ３６５では、ステップ３０５で決定されたＭＢＭＳの要件が不変であり、および依然として満たされているかに関しての決定を行う。ＭＢＭＳの要件が変更されず、および依然として満たされる場合には、処理３００は、ステップ３６０に戻ってループ処理を行い、ＷＴＲＵがＭＢＭＳを受信し続ける。ＭＢＭＳの要件が変更され、または満たされない場合には、処理３００は、処理３００の始まりのステップ３０５に戻ってループ処理を行い、新しいＭＢＭＳの要件を確立することができる。
【００４１】
本発明によって、タイムスロット管理を使用して、セル間の干渉を削減し、タイムスロット管理によって、タイムスロットが特定のフレームに割り当てられ、およびフレームは有利な方法でセルに割り当てられる。タイムスロット管理によって、セルのグループ内のセルの各集合が最適電力を保持することが可能となる。ＴＤＤに対しては、タイムスロット管理によって、ＤＬの信号を受信するＷＴＲＵによって、これらのタイムスロットにおいて他のセルから最小の干渉を体験する。ＷＴＲＵは、これらのチャネルにおいて受信されたＤＬのデータを首尾よく復号することによって、再伝送の必要性を最小にし、およびセル領域のこれらのチャネルでの高いデータ速度のカバレージを保証することができる。これは、セルの集合がグループに分割され、およびセルの各集合がタイムスロット割り当ての一意的な集合を有するような方法で、ＷＴＲＵにチャネル割り当ておよびタイムスロットを割り当てることによって達成される。
【００４２】
本発明は、複数のセルを有する無線通信システムに時間領域の再利用パターンを実施することによって、ＭＢＭＳのサービスを維持する。時間領域の再利用および周波数の再利用が受信品質を改良する効果は同じである。本発明のとおりに、時間領域の再利用パターンによって、ＴＤＤの展開領域におけるいくつかのセルでは、あるタイムスロットでそれらのＭＢＭＳのサービスを送信され、それらのタイムスロットが他のセルで未使用のままとすることを保証する。
【００４３】
本発明のＴＤＤの態様は、それによって伝えられる特定の内容（ＭＢＭＳなどの）とは無関係に、ＵＭＴＳのＴＤＤのＲ９９（３．８４Ｍｃｐｓおよび１．２８Ｍｃｐｓのオプション）および以降における、従来技術のＳ−ＣＣＰＣＨまたはＤＬの共有チャネルの場合に適用されるが、ＭＢＭＳに関する信頼できるサービスは、非常に重要な特別な場合として見なされる。ＭＢＭＳがなくてさえも、本発明の技法はセルの周辺部分においてデータ速度および達成可能なカバレージを改善するであろう。一般性を失わないで、Ｓ−ＣＣＰＣＨで送出されるＭＢＭＳの場合によって、（ＤＬの共有チャネルのような）ＤＬの共通チャネルのあらゆる形式で送出される、あらゆる種類のサービスに方法の適用を拡張する場合でさえも考慮する。Ｒ５は、ＦＤＤとＴＤＤとの両方に対して、別の種類のＤＬの共通チャネル、すなわちＨＳ−ＤＳＣＨを導入する。
【００４４】
本発明のチャネル割り当て技術を実施することによる効果は、ＷＴＤＤのシミュレーションから得られる結果によって説明することができる。１６個のＳＦ＝１６の拡散符号で満たされる各々の１２個のＤＬのタイムスロットにおいて、データをＷＴＲＵに送出することによって、ＤＬにおけるＷＴＲＵあたりおよそ２Ｍｂｐｓのデータ速度を達成することができる。従って、単一のタイムスロットは、１６個のすべてのＳＦ＝１６の拡散符号を使用して、すべてのフレームを連続的に送出する場合に、およそ１７０ｋｂｐｓのデータ速度をもたらす。以下のすべての例においては、簡略化のために、フレーム毎に１つのフルタイムスロットが、Ｓ−ＣＣＰＣＨに、またはＭＢＭＳに相当して、割り当てられることを前提とする。また、スロット毎に１７０ｋｂｐｓを前提とする。
【００４５】
本発明によって、タイムスロットは、重複するカバレージ領域でＭＢＭＳの放送および他の放送を放送する場合に起こることがある干渉を削減する方法で割り当てられる。タイムスロットは、ＭＢＭＳの要件によって、セル内で再利用される。これは、ＭＢＭＳのデータブロックの持続時間と関係なく実行され、およびＴＴＩから独立している。
【００４６】
本発明によって、同一のＴＳがすべてのセルで使用される場合には、マルチフレームの割り当ておよびＴＴＩの使用を首尾よく利用することができる。予め定められたセルの集合の各グループ内で、各集合におけるセルを、Ｓ−ＣＣＰＣＨの一意的な集合に割り当てる。
【００４７】
本発明によって、タイムスロットの繰り返し周期のとおりに、タイムスロットの可能な組合せが再利用される。これによって、時間領域の再利用パターンが確立される。同一のＴＳがすべてのセルで使用される場合には、マルチフレームの割り当ておよびＴＴＩの使用を首尾よく利用することができる。ＭＢＭＳのデータブロック毎にＴＴＩ＝２０ミリ秒（２フレーム）であれば、８０ミリ秒（８フレーム）の繰り返し周期で、セル毎にＳ−ＣＣＰＣＨを割り当てることができる。
【００４８】
セルの第１の集合は、フレームｍおよびｍ＋１において与えられたタイムスロットｎでＭＢＭＳを送信し、およびフレームｍ＋２、…、ｍ＋７においてはタイムスロットｎで何も送信しないであろう。セルの第２の集合は、フレームｍ＋２およびｍ＋３において同一のタイムスロットｎでＭＢＭＳを送信するが、フレームｍ、ｍ＋１、およびｍ＋４、…、ｍ＋７においてはタイムスロットｎで何も送信しないであろう。セルの第３の集合は、フレームｍ＋４およびｍ＋５において同一のタイムスロットｎでＭＢＭＳを送信するが、フレームｍ、…、ｍ＋３、およびｍ＋６、…、ｍ＋７においてはタイムスロットｎで何も送信しないであろう。最後に、セルの第４の集合は、フレームｍ＋６およびｍ＋７において依然として同一のタイムスロットｎでＭＢＭＳを送信するが、フレームｍ、…、ｍ＋５においては何も送信しないであろう。
【００４９】
この方法でセル毎にもたらされるＭＢＭＳの平均データ速度は、１７０キロビット毎秒／４＝４２ｋｂｐｓ／セルであり、およびシステムでのＭＢＭＳのＴＳの効率は、１７０ｋｂｐｓ／１ＴＳ＝１７０ｋｂｐｓ／ＴＳである。システムによって、有効の時間領域の再利用度が４を、およびＭＢＭＳのＴＳでは、事実上、干渉がないことを体験するであろう。以下の表１では、「ｎ」は、「セルが、このフレーム中のタイムスロットｎでＭＢＭＳを伝えるＳ−ＣＣＰＣＨを送出する」ことを示す。いずれの「ｎ」も、このフレームのこのタイムスロットｎでセルが何も送出しないということを含意するものではない。
【００５０】
【表１】
0005497576.tif 000002
【００５１】
この処理は、ＴＴＩ＝１０ミリ秒で繰り返し周期が４０ミリ秒であるＭＢＭＳの１個のＴＳ、またはＴＴＩ＝４０ミリ秒で繰り返し周期が１６０ミリ秒であるＭＢＭＳの１個のＴＳのような、他の可能な組合せに一般化される。
【００５２】
時間領域の再利用度が３であることは、従来技術の通信システムにおいて使用される場合が多いので、非常に魅力的な選択である場合があることに注意されたい。時間領域の再利用度が３であることは、ＴＴＩ＝２０ｍ秒で繰り返し周期が６０ミリ秒を使用することによって、この概念で達成可能である。物理層の観点からは、これは容易な変更である。より高位の層のプロトコルへの軽微な修正があるため、現時点では、このプロトコルは、標準化された繰り返し周期の１０、２０、４０、８０、１６０、３２０、および６４０ミリ秒のみを維持する。この時間領域の再利用パターンは、１７０ｋｂｐｓ／３＝５６ｋｂｐｓ／セルのセル毎にＭＢＭＳの平均データ速度を潜在的にもたらすであろう。この処理でＭＢＭＳを収容するためには、「空きの（ｆｒｅｅ）」ＴＳが１つだけ必要である。
【００５３】
本発明によって、時間領域の再利用は２が達成され、１７０／２＝８５ｋｂｐｓの可能性がある。同一の単一のＴＳがＭＢＭＳに関してすべてのセルにより使用されることになる場合には、繰り返し周期４０ｍ秒で、セル集合毎にＴＴＩを変化させて、マルチフレームの割り当ておよびＴＴＩの使用を首尾よく利用することができる。以下の表２では、「ｎ」は、「セルの集合が、このフレーム中のタイムスロットｎでＭＢＭＳを伝えるＳ−ＣＣＰＣＨを送出する」ことを意味する。いずれの「ｎ」も、このフレームのこのタイムスロットｎでセルの集合が何も送出しないことを含意するものではない。
【００５４】
【表２】
0005497576.tif 000003
【００５５】
集合１〜４におけるセルが、（マルチフレームの割り当てを行う場合に、「オフセット」のパラメータを使用することによって達成される）ＴＴＩ＝２０ミリ秒を可能とすることに注意されたい。集合５および６におけるセルは、連続した２つのスロットでの送信を維持しない。結果として、集合５および６におけるセルに、時間分離されたＴＳが割り当てられる。セルの各集合は、他の特定の集合からのセル間の干渉がない少なくとも１つのスロットを有することが理解できる。さらに、セル間の干渉なしで、以下の３組がお互いともに動作することができる。  
（１）集合１および集合２
（２）集合３および集合４
（３）集合５および集合６
順方向誤り訂正（ＦＥＣ：Ｆｏｒｗａｒｄ  Ｅｒｒｏｒ  Ｃｏｒｒｅｃｔｉｏｎ）における冗長を利用することによって、最大８５キロビット毎秒までを維持し、およびフレーム毎に１つのスロットのみを必要として、ほとんどの領域にわたって良好な動作が可能となる。
【００５６】
ノードＢの同期（ｓｙｎｃ）は、タイムスロットの断片的な使用を割り当てることによって処理される。このようにして、同期バーストを使用して、ノードＢの同期を維持することが可能となる。従来技術の方法を使用するこのアプローチは、干渉レベルが信頼性のある検出を妨げるであろうという懸念が原因で、当初は拒絶された。しかしながら本発明によって、あるセルに送信していないスロット間に、隣接するセルの同期バーストをそのセルが聴取することは、現在、はるかに実用的である。
【００５７】
図４は、本発明のとおりに、マルチフレームの割り当てを使用するＴＤＤの通信システムにおいて使用されるチャネル割り当てを示す図である。図４は、セルに割り当てられた異なるＴＳとフレームとの両方の組合せを使用する、時間領域の再利用を実装する一例を提供する。この修正された技法は、重複する割り当てを可能とする。セルの集合の予め定められた各グループ内で、各集合におけるセルは、Ｓ−ＣＣＰＣＨの一意的な集合を割り当てられる。しかしながら図２とは異なり、本発明は、Ｓ−ＣＣＰＣＨの集合の間での重複を提示する。
【００５８】
図４に示すように、集合１のセルは、各々のフレームにおいて、タイムスロットＴＳ１、ＴＳ２の最初の集合を割り当てられる。残りのタイムスロットＴＳ３〜ＴＳｎは、集合１によって使用されない。集合１に対する物理チャネルの割り当ては、Ｓ−ＣＣＰＣＨ全体である。集合２のセルは、各々のフレームにおいて、タイムスロットＴＳ３、ＴＳ４の第２の集合を割り当てられる。残りのタイムスロットＴＳ１〜ＴＳ２およびＴＳ５〜ＴＳｎは、集合２によって使用されない。集合２に対する物理チャネルの割り当ては、Ｓ−ＣＣＰＣＨ全体である。集合３のセルは、各々のフレームにおいて、タイムスロットＴＳ２およびＴＳ３の第３の集合を割り当てられる。残りのタイムスロットＴＳ１およびＴＳ４〜ＴＳｎは、集合３によって使用されない。集合３に対する物理チャネルの割り当ては、Ｓ−ＣＣＰＣＨ全体である。集合３に割り当てられるタイムスロットは、集合１および集合２に割り当てられるタイムスロットと重複する。
【００５９】
さらに図４を参照して、集合４、５、および６の導入は、与えられたフレーム内のタイムスロットの時間分離と同様に、タイムスロットの重複を提供する。集合４のセルは、各々のフレームにおいて、タイムスロットＴＳ１、ＴＳ４の第４の集合を割り当てられる。残りのタイムスロットＴＳ２〜ＴＳ３およびＴＳ５〜ＴＳｎは、集合４によって使用されない。集合４に対する物理チャネルの割り当ては、Ｓ−ＣＣＰＣＨ全体である。集合５のセルは、各々のフレームにおいて、タイムスロットＴＳ１およびＴＳ３の第５の集合を割り当てられる。残りのタイムスロットＴＳ２、およびＴＳ４〜ＴＳｎは、集合５によって使用されない。集合５に対する物理チャネルの割り当ては、Ｓ−ＣＣＰＣＨ全体である。集合６のセルは、各々のフレームにおいて、タイムスロットＴＳ２およびＴＳ４の第６の集合を割り当てられる。残りのタイムスロットＴＳ１、ＴＳ３、およびＴＳ５〜ＴＳｎは、集合６によって使用されない。集合６に対する物理チャネルの割り当ては、Ｓ−ＣＣＰＣＨ全体である。１つまたは複数の集合についてのタイムスロットは、他の集合からのタイムスロットと重複する。例えば、集合１に割り当てられるタイムスロットＴＳ１は、集合４に割り当てられるタイムスロットＴＳ１および集合５に割り当てられるタイムスロットＴＳ１と重複する。同様に、集合１に割り当てられるタイムスロットＴＳ２は、集合３に割り当てられるタイムスロットＴＳ２および集合６に割り当てられるタイムスロットＴＳ２と重複する。セルのいずれの２つの集合の間にも、重複するタイムスロットの同一の集合がなく、したがって、セルの各集合は、セルに割り当てられるタイムスロットの、セル自体に一意的な組合せを有する。
【００６０】
タイムスロットの間では、通信は、セルの複数の集合に割り当てられたタイムスロットおよびフレームで重複することが可能となる。組合せは、セルのいずれの２つの集合の間にも重複するタイムスロットまたはフレームの同一の集合がないように、セルに割り当てられるタイムスロットおよびフレームの、セル自体の一意的な組合せをセルの各集合に与えている。
【００６１】
図５は、図４に示すＴＤＤシステムのマルチフレームの割り当てをＦＤＤに拡張することができる、ＦＤＤシステムでの時間領域の再利用を実施する一例を示す。図５は、セルの集合の予め定められたグループ内のセルの各集合が同一のＳ−ＣＣＰＣＨを使用するフレーム割り当てを示す時間領域の図表である。図４に表すチャネル割り当ては、セルの各集合に対して特定のフレームに制限される。しかしながら、各集合に対するＳ−ＣＣＰＣＨは、共有フレームを使用する。この割り当ては、セルのすべての集合に適用されるが、セルの集合の予め定められたグループ内では、各集合におけるセルは、Ｓ−ＣＣＰＣＨの一意的な集合を割り当てられる。この修正された技法は、重複するフレームの割り当てを可能とする。これによって、セルの集合の予め定められたグループ内では、各集合におけるセルがＳ−ＣＣＰＣＨの一意的な集合を割り当てられ、およびＳ−ＣＣＰＣＨの集合の間には重複がある。
【００６２】
図５を参照すると、集合１のセルは、フレーム１０１および１０２に対応するフレームの最初の集合を割り当てられる。残りのフレームの１０３Ａおよび１０３Ｂは、集合１によって使用されない。集合１に対する物理チャネルの割り当て１０５は、Ｓ−ＣＣＰＣＨ全体である。集合２のセルは、フレーム１１１および１１２に対応するフレームの第２の集合を割り当てられる。残りのフレームの１１３Ａおよび１１３Ｂは、集合２によって使用されない。集合２に対する物理チャネルの割り当て１１５は、Ｓ−ＣＣＰＣＨ全体である。集合３のセルは、フレーム１２１および１２２に対応するフレームの第３の集合を割り当てられる。残りのフレームの１２３Ａおよび１２３Ｂは、集合３によって使用されない。集合３に対する物理チャネルの割り当て１２５は、Ｓ−ＣＣＰＣＨ全体である。
【００６３】
さらに図４を参照して、集合４、５、および６の導入は、割り当ての重複をもたらす。図５で理解されるように、集合４のセルは、フレーム１３１および１３２に対応するフレームの第４の集合を割り当てられる。残りのフレームの１３３Ａおよび１３３Ｂは、集合４によって使用されない。集合４に対する物理チャネルの割り当て１３５は、Ｓ−ＣＣＰＣＨ全体である。集合５のセルは、フレーム１４１および１４２に対応するフレームの第５の集合を割り当てられる。残りのフレームの１４３Ａおよび１４３Ｂは、集合５によって使用されない。集合５に対する物理チャネルの割り当て１４５は、Ｓ−ＣＣＰＣＨ全体である。集合６のセルは、フレーム１５１および１５２に対応するフレームの第６の集合を割り当てられる。残りのフレームの１５３Ａおよび１５３Ｂは、集合６によって使用されない。集合６に対する物理チャネルの割り当て１５５は、Ｓ−ＣＣＰＣＨ全体である。
【００６４】
フレームの間では、通信は、セルの複数の集合に割り当てられたフレームで重複することが可能となる。組合せは、セルのいずれの２つの集合の間にも重複するフレームの同一の集合は存在しないように、セルに割り当てられたフレームのセル自体に一意的な組合せをセルの各集合に与えている。
【００６５】
図５を参照すると、集合１〜４におけるセルに対するＦＤＤのチャネル割り当てによって、ＴＴＩ＝２０ミリ秒が可能となる（正しいＳＦＮでＳ−ＣＣＰＣＨを設定することによって達成される）。一般に、ＦＤＤは、非同期のセル動作を可能とし、および非同期のセル動作を使用することによって、本発明のチャネル割り当てが、より容易に時間内に処理されるようになる。集合５および６におけるセルは、ＴＴＩ＝１０ミリ秒を使用する必要がある。
【００６６】
本発明によって、時間領域の再利用度をＦＤＤの送信に提供する。時間領域の再利用度は、共有の送信の場合に対して特別な意味を有し、Ｓ−ＣＣＰＣＨまたはＤＬの共有チャネル上のＭＢＭＳなど、ＤＬの共通チャネルに対して導入される。原理は、ＴＤＤに対する時間領域の使用に類似しているが、ＴＤＤのなどにおいてフレーム毎に特定のＴＳではなく、むしろ特定のフレームにおける連続送信によるものである。
【００６７】
ＦＤＤにおいては、ＴＤＤにおけるようなフレーム毎に特定のＴＳではなく、むしろ特定のフレームにおけるＳ−ＣＣＰＣＨまたはダウンリンクの共有チャネル（ＤＬ  ＤＳＣＨ：Ｄｏｗｎｌｉｎｋ  Ｓｈａｒｅｄ  Ｃｈａｎｎｅｌ）の連続送信が必要であるので、（ＴＤＤに対する従来技術に同等な）従来技術の処理の容易な拡張は、可能ではない。
【００６８】
たとえＴＤＤにおけるようなマルチフレームの割り当てと同等なものがＦＤＤに対して存在しなくても、チャネルを連続的に、すなわちすべてのフレームに割り当てるが、基地局の要望がなければ、いくつかの特定のフレームにおいてすべてのフレームを送出しないことによって、同じことが達成できる。Ｓ−ＣＣＰＣＨはパイロットビットを含む必要はない。なぜならば、Ｐ−ＣＣＰＣＨは、通常、位相基準(ｐｈａｓｅ  ｒｅｆｅｒｅｎｃｅ)とみなされ、および現時点でデータがない場合には、ＴＦＣＩのような他の制御ビットが送出される必要がないためである。したがって、これらのアイドル周期には必要もなく何かが送信されることはない。Ｐ−ＣＣＰＣＨのチャネル割り当てと共に異なるチャネル割り当てを使用することにより、ＦＤＤに用いられるＴＤＤ技術と同等なものを提供される。
【００６９】
本発明は、３ＧＰＰのＷ−ＣＤＭＡ通信システムによって、標準およびＨＳＤＰＡ（Ｈｉｇｈ  Ｓｐｅｅｄ  Ｄｏｗｎｌｉｎｋ  Ｐａｃｋｅｔ  Ａｃｃｅｓｓ）の送信を使用する音声に関して、データも同様に、使用することができる。３ＧＰＰシステムは、単に一例として使用し、および他の符号分割多重接続の通信システムに本発明を適用することができる。また、本発明のＦＤＤの部分は、特定の内容とは無関係に、従来技術のＳ−ＣＣＰＣＨまたはＵＭＴＳのＦＤＤのＲ９９およびそれ以降（例えば、Ｒ５のＨＳ−ＤＳＣＨ）におけるＤＬの共有チャネルの場合にも適用されることに注意されたい。
【００７０】
本発明によって、ＭＢＭＳに割り当てられた物理、および伝送リソースを効率的に開放するために、いつ加入者が、サービスを終了するのかまたはサービスを受信することに成功しているのかを知ることが必要である。加入者が生成するＭＢＭＳの非アクティベーションを説明するメッセージを使用することによって、ＭＢＭＳの送信を削減することができる。これは、Ｌ３のＲＲＣの処理か、またはＮＡＳの信号処理かのいずれかとすることができる。非アクティベーションメッセージを受信すると、特定のＭＢＭＳに関連付けられた現時点でアクティブな加入者から、加入者のＭＢＭＳのコンテキストを取り除く。
【００７１】
図６を参照すると、特定のＭＢＭＳに必要な再送信の数を制御するために、ＵＴＲＡＮ６１０と通信する複数のＷＴＲＵ６０５を含む、マルチセルの無線通信システム６００において、アクティベーション／非アクティベーションの方法を使用する。
【００７２】
性能を改善するために通信システム６００のチャネルを再構成することができるような、非アクティベーションの方法を伝送の切り替えに使用することによって、ＭＢＭＳを受信しているユーザ（ＷＴＲＵ）の現時点での数を決定する。さらに、再送信の数を削減することができる。
【００７３】
一実施形態では、図６のＷＴＲＵ６０５は、通信システム６００のセルのうちの特定の１つにおいて動作しており、ＭＢＭＳをアクティベートする。ＵＴＲＡＮ６１０は、ＭＢＭＳをアクティベートした特定のセルにおいて動作しているＷＴＲＵ６０５の数を決定する。ＵＴＲＡＮ６１０は、決定されたＷＴＲＵ６０５の数に基づき、特定のセルにリソースを割り当てる。ＵＴＲＡＮ６１０は、割り当てられたリソースを使用して、ＷＴＲＵ６０５にＭＢＭＳを配信する。ＵＴＲＡＮ６１０は、ＷＴＲＵ６０５のすべてがＭＢＭＳを非アクティベートする場合に、ＷＴＲＵ６０５でのＭＢＭＳを終了し、およびＵＴＲＡＮ６１０のリソースの再割り当てを行う。
【００７４】
アクティブな加入者の数に基づき、ＵＴＲＡＮ６１０は、伝送および物理チャネルを構成することによって、無線リソースの最大効率を達成する。ＭＢＭＳの非アクティベーションの信号メッセージは、ユーザによって加入される各サービスの加入者の総数を削減することを説明する表示として使用される。特定のサービスの加入者の数が予め定められた限界値に到達する場合、伝送／物理チャネルの切り替えが実行される。すべての加入者が非アクティベートしている場合に、セルでのＭＢＭＳの伝送を終了する。
【００７５】
ステップ６１５では、加入者は、加入者のＷＴＲＵ６０５でＵＴＲＡＮ６１０に信号を送出することによってＭＢＭＳをアクティベートする。ＭＢＭＳは、ＵＴＲＡＮ６１０によってＷＴＲＵ６０５に配信される（ステップ６２０）。加入者がＭＢＭＳに対するアクティブなユーザから除外される（ステップ６２５、６３５）と、結果として、ＵＴＲＡＮ６１０は、ＭＢＭＳの伝送／物理チャネルの切り替えを引き起こす（ステップ６３０）か、またはセル内でのサービスの配信を停止する（ステップ６４０）かができる。
【００７６】
図７を参照すると、既存のセルの更新処理もまた、ＭＢＭＳの伝送をアクティベートし、および非アクティベートするために使用することができる。加入者の移動を追跡するために使用されるセルの更新処理もまた、周期的な更新のために構成することができる。加入者のＭＢＭＳがアクティベート（ステップ７００）された後に、アクティブなＭＢＭＳのユーザは見分けられるので、ＷＴＲＵ６０５にＭＢＭＳを配信（ステップ７１０）することができるように、セルの更新処理を周期ベースで実装（ステップ７０５）することによって、いつユーザが、新しいセルに移動しているのかまたはＵＴＲＡＮ６１０では届くことができないところにいるのかを決定することができる。セルの更新手順は、ＷＴＲＵ６０５が新しいセルに移動しているのか、または加入者に関する周期的な更新がＵＴＲＡＮ６１０ではもう受信されないことを示す場合（ステップ７１５）には、加入者のＭＢＭＳのコンテキストを、セルの特定のＭＢＭＳに関連付けられた現時点のアクティブな加入者から取り除き、結果として、ＭＢＭＳの伝送を終了させる（ステップ７２０）。
【００７７】
一実施形態では、図７のＷＴＲＵ６０５の少なくとも１つがＭＢＭＳをアクティベートする。ＷＴＲＵ６０５は、ＷＴＲＵ６０５が動作している通信システムのセルのうちの最初の１つを示すネットワークに対する周期的な更新を提供する。ＵＴＲＡＮ６１０は、ＷＴＲＵ６０５にＭＢＭＳを配信する。ＷＴＲＵ６０５が周期的な更新を提供することを止めるか、または最初のセルとは異なる通信システムのセルで動作するかのどちらかの場合には、ＵＴＲＡＮ６１０は、ＷＴＲＵ６０５でのＭＢＭＳを終了する。
【００７８】
図８は、ＵＴＲＡＮ８１０およびコアネットワーク（ＣＮ：ｃｏｒｅ  ｎｅｔｗｏｒｋ）８１５と通信する複数のＷＴＲＵ８０５を含む無線通信方式８００を示す。システム８００は、オプションの配信確認を有するＭＢＭＳの通知を提供する（ステップ８２０）。ＭＢＭＳがＷＴＲＵ８０５に配信（ステップ８２５）された後に、さらに、ＷＴＲＵ８０５により、ＵＴＲＡＮ８１０に報告されるＭＢＭＳの配信確認（ステップ８３０）を、課金の目的のためにＣＮ８１５に伝えることができる（ステップ８３５）。信号送信は、ＵＴＲＡＮ８１０からＷＴＲＵ８０５への確認メッセージの転送か、ＵＴＲＡＮ８１０による新しいメッセージの生成か、またはＷＴＲＵ８０５からＣＮ８１５への直接のＮＡＳ（Ｎｏｎ-Ａｃｃｅｓｓ  Ｓｔｒａｔｕｍ  Ｎｏｄｅ  Ｂ  Ａｐｐｌｉｃａｔｉｏｎ  Ｐａｒｔ）の信号送信かのいずれかによって、達成することができる。ＣＮ８１５が受信すると、ＭＢＭＳの配信は、各ＷＴＲＵ８０５に記録される。確認メッセージは、Ｌ３の無線リソース制御（ＲＲＣ：Ｒａｄｉｏ  Ｒｅｓｏｕｒｃｅ  Ｃｏｎｔｒｏｌ）またはＮＡＳの信号送信メッセージのいずれかとすることができる。ＵＴＲＡＮ８１０は、それらのＭＢＭＳについてアクティベートした各加入者に対する確認を追跡することができる。アクティブな加入者のすべてまたは予め定められた割合が配信を確認されると、再送信を終了することができる（ステップ８４０）。また、最大の再送信回数を構成して、特定のＭＢＭＳに対して無線リソースの使用を制限することができる。
【００７９】
一実施形態では、図８のＵＴＲＡＮ８１０は、複数のＭＢＭＳのデータ伝送を送信することによって、ＷＴＲＵ８０５のうちの少なくとも１つにＭＢＭＳを配信する。ＷＴＲＵ８０５は、ＭＢＭＳのデータ伝送のすべてが受信されていることをＵＴＲＡＮ８１０に対して示す。次に、ＵＴＲＡＮ８１０は、ＭＢＭＳのデータ伝送を終了する。
【００８０】
サービス確認は、常には正当化されないかもしれない。例えば、いくつかのサービスは、伝送毎に有するデータが非常に少ない場合がある。したがって、再送信の費用は非常に小さい。サービス確認をさらに最適化するひとつのオプションは、アクティベートの処理の間に、どのサービスが送信確認を受信するかを識別することである。
【００８１】
再送信を削減してＭＢＭＳの配信の成功を達成する追加の方法は、ＭＢＭＳのサービス伝送が完了するまで、各伝送から別個のデータセグメントを受信しおよび格納し、次に、各再送信からのこれらのブロックを結合することである。ＭＢＭＳの伝送は、いくつかのデータセグメントを含み、データセグメントの各々は、配信の成功を確認するために使用される１つ以上の巡回冗長検査（ＣＲＣ：Ｃｙｃｌｉｃ  Ｒｅｄｕｎｄａｎｃｙ  Ｃｈｅｃｋ）を含む。
【００８２】
ＭＢＭＳのセグメント化は、図９に示す無線通信システム９００によって実施される。システム９００は、ＵＴＲＡＮ９１０と通信する少なくとも１つのＷＴＲＵ９０５を含む。ＭＢＭＳの伝送（ステップ９１５）を受信すると、ＷＴＲＵ９０５は、受信に成功したデータセグメントのすべてを格納する（ステップ９２０、９２５）。ＷＴＲＵ９０５は、伝送全体を受信するのではなく、前の伝送で受信に成功しなかったデータセグメントのみ（例えば、セグメント２）の受信（ステップ９３０）をスケジューリングする、ＭＢＭＳの情報を使用することができる。したがって、ＷＴＲＵの処理および消費電力が削減される。さらに、ＭＢＭＳ全体の伝送の受信についてスケジューリングするのではなく、受信に成功していないセグメントの受信についてスケジューリングするだけが必要なので、配信の成功に対して必要な伝送の数が減少する。このＭＢＭＳのセグメント化によって、加入者によるオプションのＭＢＭＳの配信確認メッセージ（ステップ９３５）とは無関係にかまたは配信確認メッセージの生成かで、ＭＢＭＳの再送信の数を削減または終了することができる。
【００８３】
一実施形態では、図９のＵＴＲＡＮ９１０は、ＭＢＭＳを複数の別個のデータセグメントに分割し、および各々のＭＢＭＳのデータセグメントをＷＴＲＵ９０５に送信する。ＷＴＲＵ９０５は、ＷＴＲＵ９０５によって適切に受信されるＭＢＭＳの各データセグメントを、ＷＴＲＵのメモリ（図示せず）に格納する。ＷＴＲＵ９０５は、ＷＴＲＵ９０５によって適切に受信されなかったＭＢＭＳのデータセグメントの少なくとも１つをＵＴＲＡＮ９１０に対して識別する。ＵＴＲＡＮ９１０は、識別されたＭＢＭＳのデータセグメントのみをＷＴＲＵ９０５に再送信する。
【００８４】
ＭＢＭＳのデータセグメントを送信する前に、ＵＴＲＡＮ９１０は、ＭＢＭＳのデータセグメントの各々をいつＷＴＲＵ９０５に送信すべきか、およびＭＢＭＳをいくつのデータセグメントで構成するか、をＷＴＲＵ９０５に示すことができる。ＭＢＭＳの各データセグメントは、ＷＴＲＵ９０５によってＭＢＭＳのデータセグメントの配信の成功を実証するのに使用される少なくとも１つの巡回冗長検査（ＣＲＣ：Ｃｙｃｌｉｃ  Ｒｅｄｕｎｄａｎｃｙ  Ｃｈｅｃｋ）を含むことができる。ＵＴＲＡＮ９１０の事業者は、課金を容易にするために、ＷＴＲＵ９０５がＭＢＭＳのデータセグメントのすべてを受信しているか否かを決定することができる。
【００８５】
別の実施形態では、ＵＴＲＡＮ９１０は、ＭＢＭＳを、異なる時間でＷＴＲＵ９０５に送信するようスケジューリングされた複数の別個のＭＢＭＳのデータセグメントに分割する。ＵＴＲＡＮ９１０は、ＷＴＲＵ９０５に対して、スケジューリングされた異なる時間およびＭＢＭＳを構成するデータセグメントの数を表示する。ＵＴＲＡＮ９１０は、スケジューリングされた異なる時間でＷＴＲＵ９０５にＭＢＭＳのデータセグメントを送信する。ＷＴＲＵ９０５は、スケジューリングされた異なる時間で、ＷＴＲＵの受信機（図示せず）をアクティベートすることによって、ＵＴＲＡＮ９１０が送信するＭＢＭＳのデータセグメントを受信する。ＷＴＲＵ９０５は、ＷＴＲＵ９０５によって適切に受信されなかった少なくとも１つのＭＢＭＳのデータセグメントを、ＵＴＲＡＮ９１０に対して識別する。ＵＴＲＡＮ９１０は、識別されたデータセグメントをＷＴＲＵ９０５へ再送信する、割り当てられた時間をＷＴＲＵ９０５に示す。ＵＴＲＡＮ９１０は、識別されたＭＢＭＳのデータセグメントのみをＷＴＲＵに再送信する。ＷＴＲＵ９０５は、割り当てられた時間にＷＴＲＵの受信機をアクティベートすることによって、再送信されたＭＢＭＳのデータセグメントを受信する。
【００８６】
本発明は、特に、好ましい実施形態を参照して示しおよび説明してきたが、上述のように、本発明の範囲から逸脱することなく、形式および詳細において、様々な変更を行うことができることを当事業者は理解するであろう。
【図１】
0005497576.tif 000004
【図２】
0005497576.tif 000005
【図３】
0005497576.tif 000006
【図４】
0005497576.tif 000007
【図５】
0005497576.tif 000008
【図６】
0005497576.tif 000009
【図７】
0005497576.tif 000010
【図８】
0005497576.tif 000011
【図９】
0005497576.tif 000012